(57)【要約】      （修正有）【課題】製造コストが安く、装着時の違和感や取外した後に眩しく感じたりするのを低減できる載せ掛け式アイマスクを提供する。【解決手段】両目とその周辺のみを覆う載せ掛け式のアイマスクであって、不透明又は半透明で透光性を有する不織布から形成され、両目を連続面で一体的に覆うような略眼鏡形状に形成する。さらに、装着者が顔を上方に向けた状態で顔面に載せ掛けられる目隠し体１２と、目隠し体１２の顔面に対するズレ、落下を防止するズレ防止構造であり、目隠し体１２の両目の間を覆う中央部位２２の下方側を略三角形状に切り欠きした切欠き部２６を含むズレ防止構造１４と、を配する。又、目隠し体１２は、載せ掛け装着した際に目隠し体１２の装着内面側と目との間に空隙を形成するように、目を覆う部分２０を装着時の外側に向けて膨出させた膨出部２８を作り、載せ掛け式アイマスク１０とする。【選択図】図１
0003160268.tif 000002
【実用新案登録請求の範囲】
【請求項１】
両目とその周辺のみを覆う載せ掛け式のアイマスクであって、
不透明又は半透明で透光性を有する不織布から形成され、両目を連続面で一体的に覆うような略眼鏡形状に設けられ、装着者が顔を上方に向けた状態で顔面に載せ掛けられる目隠し体と、
目隠し体の顔面に対するズレ、落下を防止するズレ防止構造であり、目隠し体の両目の間を覆う中央部位の下方側を略三角形状に切り欠きした切欠き部を含むズレ防止構造と、を備え、
目隠し体は、載せ掛け装着した際に目隠し体の装着内面側と目との間に空隙を形成するように、目を覆う部分を装着時の外側に向けて膨出させた膨出部を含むことを特徴とする載せ掛け式アイマスク。
【請求項２】
目隠し体を含む載せ掛け式アイマスク全体が、１枚の平らな不織布を素材としており、
膨出部は、目隠し体の目を覆う部分を目の周囲から目の略中心側に向けて次第に膨出するように湾曲変形させた状態でタック取りされて形成された請求項１記載の載せ掛け式アイマスク。
【請求項３】
目隠し体には、両目の間を覆う中央部位に装着時の外側に向けて突設するようにタックを形成して、目隠し体の顔面への装着、取外し操作用のつまみが設けられた請求項２記載の載せ掛け式アイマスク。
【請求項４】
ズレ防止構造は、目隠し体の頬部近傍に当接する部分の輪郭を角張り状に下方に突出させた角形係止部を含む請求項１ないし３のいずれかに記載の載せ掛け式アイマスク。
【請求項５】
目隠し体は、撥水性を有する請求項１ないし４のいずれかに記載の載せ掛け式アイマスク。
【考案の詳細な説明】
【技術分野】
【０００１】
本考案は、例えば、美容院での洗髪や、歯の治療、エステ等の際に目及びその周辺のみを覆い隠すように顔に載せ掛け装着されて目を保護する載せ掛け式アイマスクに関する。
【背景技術】
【０００２】
美容院等で美容師が客の頭髪を洗う際に、客を仰向けに倒し洗髪台に頭部を配置させた状態で洗髪作業が行われる場合がある。この際、仰向けの客の目に水やシャンプー液が入ったり、美容師と客との視線が合うのを防いだりするために、顔にタオルを載せたり、フェイスマスクを載せたりしていた（例えば、特許文献１参照）。例えば、特許文献１のフェイスマスクは、ペーパーの一端にタックを設けて一部を凸状に形成したものが提案されていた。しかしながら、従来のタオルや特許文献１のフェイスマスク等では、タオルやマスクが顔からズレたり落ちたりしやかったり、装着する際に両手を使う必要があり操作が煩雑であったり、濡れたり汚れたりしている美容師の手が客の顔に触れやすく客を不快にさせるおそれがある等の問題があった。また、例えば、マスク等に耳かけ紐等を取り付けると、耳かけ紐が洗髪の邪魔になり十分な洗髪が行えなかったり、耳かけ紐等の締め付けや水で濡れたりすることにより装着者が違和感や不快感を感じたりする等の問題があった。そこで、本出願人は、実用新案登録第３１４４３０２号（特許文献２）にて、装着時に顔面にフィットしてズレにくく、着脱操作性を向上しうる載せ掛け式アイマスクを提案した。
【先行技術文献】
【特許文献】
【０００３】
【特許文献１】特開２０００−２７９２２９号公報
【特許文献２】実用新案登録第３１４４３０２号公報
【考案の概要】
【考案が解決しようとする課題】
【０００４】
しかしながら、特許文献２の載せ掛け式アイマスクでは、裏面側の摩擦面を顔面に密着させるので装着時にずれにくい点では有利であるが、アイマスクの裏面側がまぶたやまつげに密着しやすく目を閉じておく必要があるので、中には違和感を感じる人もいた。また、装着時にはアイマスクにより遮光されて真っ暗な状態であるので仮眠等をとる際には有利であるが、逆に周囲の状況が分からず不安を感じる場合があった。さらに、載せ掛け式アイマスクを取り外した際に、真っ暗な状態から急に明るくなるので、目が眩しく不快に感じてしまう場合があった。また、特に医療等で使用する場合には、衛生面に注意する必要があった。
【０００５】
本考案は上記従来の課題に鑑みてなされたものであり、その一つの目的は、製造コストが安く、簡単に使い捨てして常に衛生的に使用できるとともに、装着時の違和感や取外した後に眩しく感じたりするのを解消又は緩和できる載せ掛け式アイマスクを提供することにある。
【課題を解決するための手段】
【０００６】
上記課題を解決するために本考案は、両目とその周辺のみを覆う載せ掛け式のアイマスクであって、不透明又は半透明で透光性を有する不織布から形成され、両目を連続面で一体的に覆うような略眼鏡形状に設けられ、装着者が顔を上方に向けた状態で顔面（Ｆ）に載せ掛けられる目隠し体１２と、目隠し体１２の顔面（Ｆ）に対するズレ、落下を防止するズレ防止構造であり、目隠し体１２の両目の間を覆う中央部位２２の下方側を略三角形状に切り欠きした切欠き部２６を含むズレ防止構造１４と、を備え、目隠し体１２は、載せ掛け装着した際に目隠し体１２の装着内面側（１８）と目との間に空隙Ｓを形成するように、目を覆う部分（２０）を装着時の外側に向けて膨出させた膨出部２８を含むことを特徴とする載せ掛け式アイマスク１０から構成される。目隠し体１２は、目を隠して視線を遮る程度に半透明又は不透明に形成されるとともに、ある程度光が通過するように形成される。また、アイマスク１０には、目隠し体１２の顔面（Ｆ）への装着、取外し操作用のつまみ３４が設けられるとよい。つまみ３４を介して着脱操作をスムーズに行えるとともに、手が濡れたり汚れたりしていても顔に手を触れずに操作できるので顔を汚さず不快にさせにくい。
【０００７】
また、目隠し体１２を含む載せ掛け式アイマスク１０全体が、１枚の平らな不織布を素材としており、膨出部２８は、目隠し体１２の目を覆う部分を目の周囲から目の略中心側に向けて次第に膨出するように湾曲変形させた状態でタック３２取りされて形成されたこととしてもよい。
【０００８】
また、目隠し体には、両目の間を覆う中央部位２２に装着時の外側に向けて突設するようにタックを形成して、目隠し体１２の顔面（Ｆ）への装着、取外し操作用のつまみ３４が設けられたこととしてもよい。
【０００９】
また、ズレ防止構造１４は、目隠し体１２の頬部近傍に当接する部分の輪郭を角張り状に下方に突出させた角形係止部３２を含むこととしてもよい。
【００１０】
また、目隠し体１２は、撥水性を有することとしてもよい。目隠し体１２は、不織布の素材のみで撥水性を持たせても良いし、撥水剤等により表面を撥水加工してもよい。
【考案の効果】
【００１１】
本考案によれば、両目とその周辺のみを覆う載せ掛け式のアイマスクであって、不透明又は半透明で透光性を有する不織布から形成され、両目を連続面で一体的に覆うような略眼鏡形状に設けられ、装着者が顔を上方に向けた状態で顔面に載せ掛けられる目隠し体と、目隠し体の顔面に対するズレ、落下を防止するズレ防止構造であり、目隠し体の両目の間を覆う中央部位の下方側を略三角形状に切り欠きした切欠き部を含むズレ防止構造と、を備え、目隠し体は、載せ掛け装着した際に目隠し体の装着内面側と目との間に空隙を形成するように、目を覆う部分を装着時の外側に向けて膨出させた膨出部を含むことから、ずれにくい載せ掛け式のアイマスクであるとともに、膨出部により装着した際にまぶたやまつげが接触しにくいので違和感を感じにくく、装着感が良い。さらに、装着した状態でも目を開けることができ、透光性も相俟って、装着者はある程度光を感じることができるので、真っ暗な状態よりも周囲の状況を把握することもでき、安心感が高い。同時に、アイマスクを取り外した際に明暗差が少なく、眩しくて不快に感じるのを解消又は低減することができる。また、不織布で形成されているので、大量生産して安価に製造できるとともに、使用後に汚れたアイマスクを簡単に使い捨てて、常に新しいものを衛生的に使用することができる。
【００１２】
また、目隠し体を含む載せ掛け式アイマスク全体が、１枚の平らな不織布を素材としており、膨出部は、目隠し体の目を覆う部分を目の周囲から目の略中心側に向けて次第に膨出するように湾曲変形させた状態でタック取りされて形成された構成とすることにより、複雑な工程や特殊な製造機械を用いることなく、簡単に膨出部を形成できる。
【００１３】
また、目隠し体には、両目の間を覆う中央部位に装着時の外側に向けて突設するようにタックを形成して、目隠し体の顔面への装着、取外し操作用のつまみが設けられ構成とすることにより、操作用のつまみにより使い勝手を向上するとともに、つまみを別の部材で設けて取り付けるのに比べて極めて簡単に形成できる。
【００１４】
また、ズレ防止構造は、目隠し体の頬部近傍に当接する部分の輪郭を角張り状に下方に突出させた角形係止部を含む構成とすることにより、角形係止部が切り欠き部と協働してアイマスクが顔面からズレたり、落ちたりするのを良好に防止できる。
【００１５】
また、目隠し体は、撥水性を有する構成とすることにより、例えば、水や薬液を扱う美容院での洗髪や歯の治療等の際でも有効に利用でき、確実に目を保護できるとともに、アイマスクが濡れて不快に感じるのを防止できる。
【図面の簡単な説明】
【００１６】
【図１】本考案の実施形態に係る載せ掛け式アイマスクの正面図である。
【図２】図１の載せ掛け式アイマスクの左側面図である。
【図３】図１の載せ掛け式アイマスクのＡ−Ａ線断面図である。
【図４】図１の載せ掛け式アイマスクを装着した状態の図である。
【図５】図１の載せ掛け式アイマスクを製造する際の説明図である。
【考案を実施するための形態】
【００１７】
以下、添付図面を参照しつつ本考案の載せ掛け式アイマスクの実施の形態について説明する。本実施形態の載せ掛け式アイマスクは、例えば、美容院での洗髪、エステ、歯の治療時等に目を覆い隠して目を保護するマスクであり、両目とその周辺のみを覆うとともに、耳かけや後頭部側に巻き回される帯等を有さず、上を向いた状態で顔面に載せ掛けて装着、使用されるものである。図１ないし図５は、本考案の載せ掛け式アイマスクの一実施形態を示している。図１、図２に示すように、本実施形態において、載せ掛け式アイマスク１０は、目隠し体１２と、ズレ防止構造１４と、を備えている。
【００１８】
図１、図４に示すように、目隠し体１２は、目を覆い隠す目隠し手段であり、装着者が顔を上方に向けた状態で顔面に載せ掛けられ、両目を連続面で一体的に覆うように略眼鏡形状に設けられたアイマスク本体である。目隠し体１２は、不透明又は半透明で目隠し機能を発揮させるとともに、透光性を有する不織布からなり、本実施形態では、目隠し体１２を含む載せ掛け式アイマスク１０全体が１枚の平らな不織布を素材として形成されている。具体的には、目隠し体１２は、柔軟性があって自在に撓み、撥水性、耐薬品性に優れたものが好適であり、例えば、芯部分がポリプロピレンで鞘部分がポリエチレンとした芯鞘構造の長繊維を熱エンボス加工して得られた薄いスパンボンド不織布からなる。目隠し体１２は、その不織布素材により装着時に目隠しできるように生地を通して向こう側が透けて見えないような不透明又は半透明ではあるが、光をある程度通すようになっており、装着者は明暗や光や影を把握できるようになっている。よって、アイマスクを装着して目を隠して保護している状態でもある程度光を感ずることができるので装着者は安心感を得られる。さらに、載せ掛け式アイマスクを取り外した際に、明暗差が少なく眩しくて不快に感じるのを解消又は軽減できる。
【００１９】
目隠し体１２は、左右の目をそれぞれ覆う２つの覆い部２０と、それらの覆い部２０を接続しつつ両目の間の鼻の付け根側Ｎａを覆う左右中央部位２２と、を含む。目隠し体１２は、例えば、１枚の不織布からなる生地を所定形状に切断して、覆い部２０と中央部位２２とが一体的に形成されているとともに、左右中心軸Ｌに対して左右対称な形状となっている。覆い部２０は、例えば、目、まぶた、眉、目と頬の間（頬骨近傍）、こめかみ近傍、を含む目の周囲部分を覆えるように比較的広い面積で形成されている。覆い部２０は、上辺と両外側左右辺の輪郭はなだらかな曲線で形成されているが、下辺側の輪郭には多角形状に角張った複数の隅部２４が形成されている。左右の覆い部２０を接続している中央部位２２は、上下幅が比較的狭く形成され、その中央部位２２の下方側に装着者の鼻Ｎの位置に対応して上に凸となる略三角形状の切込み部２６が形成されている。切込み部２６は、顔面の中央に隆起している鼻の形状に対応して目隠し体１２の下方部を比較的急角度で切込みされ、上辺を短くした三角形近似の略台形形状となっている。図４にも示すように、目隠し体１２は、載せ掛け装着した際には、鼻の隆起した部分は切込み部２６によって覆われず露出した状態となり、切込み縁２６ａが装着者の鼻の両側に沿った状態で、該鼻の両側から頬骨近傍部分（目の下の頬の上側部分）を覆い部２０の一部が覆うようになっている。
【００２０】
図２、図３に示すように、本実施形態では、目隠し体１２の覆い部２０には、目隠し体１２を載せ掛け装着した際に覆い部２０の装着内面側（裏面１８側）と、装着者の目と、の間に空隙Ｓが形成されるように膨出させた膨出部２８が設けられている。膨出部２８は、覆い部２０の略中央が装着時の外側に向けて膨出するように不織布からなる生地を湾曲して形成されている。よって、目隠し体１２を装着した際には、覆い部２０の周縁部分と中央部位２２とが顔面に当接する。本実施形態では、膨出部２８は、例えば、覆い部２０を目の周囲側から目の略中心側に向けて次第に膨出するように湾曲変形させた状態で、タック３０取りされて形成されている。タック３０は、例えば、図５上、一点鎖線に示すように、覆い部２０の左右両外縁側から中央の中途位置までの略細長三角形部分３０ａを裏面側に向けて摘み折ってひだを作ることにより該覆い部２０を山なり状に湾曲させて膨出部２８を形成させ、そのひだの密着させた折り面どうしを熱溶着や縫着または接着剤によって固定して、膨出部２８の形状を保持させている。このように膨出部２８を形成することにより、覆い部２０の裏面１８が目のまぶたやまつげ等を押さえにくく、装着時の違和感を低減できる。同時に、装着状態でも目を開けておくことでき、目隠し体１２の透光性とも相俟って、装着時の安心感及び、取り外した際の眩しさの低減を実現できる。なお、タック３０は、膨出部２８の空隙Ｓ内で突出して目に当たること等がないように、覆い部２０の裏面１８に密着させるようにしておくとよい。
【００２１】
図１、図４に示すように、ズレ防止構造１４は、耳かけ紐等が無い載せ掛け式アイマスク構成において、目隠し体１２を顔面Ｆに上から載せ掛けて装着した際に、該目隠し体１２が顔面に対してズレたり、落下したりするのを防止する目隠し体１２に一体的に構成されたズレ・落下防止手段である。本実施形態では、ズレ防止構造１４は、上述の目隠し体１２の一部を切り欠きして形成した切欠き部２６を含む。切欠き部２６は、上述のように鼻の形状に対応して略三角形状に切欠きされているので、装着者が顔を若干横方向に向けたり、頭を若干起したりした場合等には、目隠し体１２が鼻に引っ掛かってズレたり、落下したりするのを防止できる。さらに、本実施形態では、ズレ防止構造１４は、覆い部２０の頬部Ｃｈ近傍に当接する部分形成された角形係止部３２を含む。角形係止部３２は、覆い部２０の下辺側の輪郭の多角形状に角張った隅部２４のうちの１つからなり、目の下方側辺りで鈍角三角形状に下方に突出させた部分からなる。角形係止部３２は、その角張っている頂点部分が装着者の頬部に引っ掛かって止まりやすく、目隠し体１２のズレを防止する。
【００２２】
図１、図５に示すように、目隠し体１２の両目の間を覆う中央部位２２には、目隠し体１２の顔面への装着、取外し操作用のつまみ３４が設けられている。つまみ３４は、例えば、中央部位２２の左右対称軸線Ｌ上位置に目隠し体の表面に対して略直交状に立つように突設されている。本実施形態では、つまみ３４は、例えば、図５に示すように、不織布の生地からなる目隠し体１２の中央部位２２に装着時の外側に向けて突設するようにタック取りすることにより形成されている。例えば、中央部位２２を予め、若干横長めに形成しておき、図５の破線に示すように該中央部位の真ん中部分３４ａを摘み折ってひだを形成し、そのひだの密着させた面どうしを熱溶着や縫着又は接着剤等で固定することにより、つまみ３４が簡単に形成される。このつまみ３４を構成することにより、例えば、つまみが中央位置に形成されているのでつまみを手で持った際の安定性もよく、目隠し体１２を顔面に装着する際の切欠き部２６の鼻Ｎの位置への位置合わせ操作等をスムーズに行え、ワンタッチ状に目隠し体を所定の位置に確実に装着できる。さらに、指を顔につけることなく目隠し体１２をスムーズに装着、取り外し操作することができるので、指が汚れたり、濡れたりしている場合でも顔を汚して不快になることがない。また、複数の載せ掛け式アイマスクを重ねておいておいた場合に、一番上のアイマスクだけを簡単に持って即座に使用することができる。なお、つまみ３４は、例えば、目隠し体１２とは別の布材等で形成して、目隠し体１２に縫着等により固定して形成してもよい。
【００２３】
なお、目隠し体１２を含むアイマスクの構成は、上述したものに限らず、例えば、覆い部や中央部位等をパーツごとに形成してそれらを組み付けた構成や、複数の不織布を透光性を有する範囲で積層して構成したものでもよく、ある程度柔軟性があり、不透明又は半透明で透光性を有するものであれば任意のものでもよい。また、不織布の素材も、二重の芯鞘構造のものに限らず、単芯構造のもの等、その他任意の繊維素材でもよい。不織布素材自体で熱溶着できるような素材であると膨出部２８のタック３０やつまみ２４のタックの形成等を簡便に行うことができる。また、目隠し体１２は、顔の肌に対して滑りにくいような素材又は製法であると、ズレ防止の点では好適である。また、目隠し体１２は、通気性があると装着感がよい。目隠し体１２は、美容院での洗髪のように、水や薬品を扱う場面で用いる場合には、防水性や撥水性、耐薬品性を備えているとよい。また、目隠し体１２は透光性を維持できる程度に着色してもよい。また、目隠し体１２には、必要に応じて抗菌剤等を付加してもよい。
【００２４】
次に、本実施形態に係る載せ掛け式アイマスク１０の作用について説明する。例えば、載せ掛け式アイマスク１０を美容院等で美容師が客の頭髪を洗う際に使用する場合の例で説明する。仰向け状に寝かせた客の顔面にアイマスクを装着させる際には、美容師がつまみ３４を手で持って切欠き部２６を鼻Ｎの位置合わせしながら、図４に示すように目隠し体１２を載せ掛けて装着する。この際、目隠し体１２の覆い部２０の周縁側と中央部位２２とが顔面に略密着するが、目やまぶたの部分は膨出部２８の空隙Ｓにより目隠し体に触れにくいようになっており、装着時の違和感が少ない。さらに、目隠し体１２は不透明又は半透明であるので、客が美容師と目が合うことなく視線を防止できるとともに、透光性を有しているので、ある程度光が入り従来の真っ暗な状態に比べて安心感がある。洗髪中には、ズレ落下防止構造により、アイマスクがズレたり、落下したりするのを良好に防止でき、確実に水やシャンプー液等から目を保護できる。洗髪を終了した後には、美容師がつまみ３４を持って持ち上げるだけで簡単に目隠し体１２を取り外すことができる。この際、例えば、美容師の手が濡れたり汚れたりしていても、客の顔に手が触れないので、客の顔を濡らしたり汚したりすることがない。また、目隠し体１２が透光性を有しているので、外した際に明暗差も小さく、客は目が眩しく感じることもない。なお、使用済みの汚れたアイマスク１０は簡単にゴミ箱等に捨てて、次回には新しいものを使用し常に衛生的にアイマスクを使用することができる。
【００２５】
以上説明した本考案の載せ掛け式アイマスクは、上記した実施形態のみの構成に限定されるものではなく、実用新案登録請求の範囲に記載した本考案の本質を逸脱しない範囲において、任意の改変を行ってもよい。
【産業上の利用可能性】
【００２６】
本考案の載せ掛け式アイマスクは、例えば、美容院での洗髪、歯の治療、エステ等、その他水や薬液又は強い光から目を保護したり、他人の視線を防いだりする場合に好適に用いられる。
【符号の説明】
【００２７】
１０    載せ掛け式アイマスク
１２    目隠し体
１４    ズレ防止構造
２２    中央部位
２６    切込み部
３０    タック
３２    角形係止部
３４    つまみ
【図１】
0003160268.tif 000003
【図２】
0003160268.tif 000004
【図３】
0003160268.tif 000005
【図４】
0003160268.tif 000006
【図５】
0003160268.tif 000007